(57)【要約】【課題】レーザ光が規定ビーム光路から逸脱するのを抑制することが可能な照明装置を提供する。【解決手段】この照明装置１は、励起光であるレーザ光が照射され蛍光を出射する蛍光部材５と、蛍光部材５が配置される密封空間Ｓ１を形成する本体部２０と、を備える。密封空間Ｓ１内には、乾燥気体が封入されている。【選択図】図１
2013157239.tif 000002
【特許請求の範囲】
【請求項１】
励起光であるレーザ光が照射され蛍光を出射する蛍光部材と、
前記蛍光部材が配置される密封空間を形成する本体部と、
を備え、
前記密封空間内は、乾燥気体が封入され、または、真空になっていることを特徴とする照明装置。
【請求項２】
前記密封空間内には前記乾燥気体が封入されており、
前記乾燥気体は乾燥空気または不活性ガスを含むことを特徴とする請求項１に記載の照明装置。
【請求項３】
前記本体部は、前記蛍光を反射する反射部材と、前記蛍光を透過して前記密封空間の外部に出射する第１透光部材とを含むことを特徴とする請求項１または２に記載の照明装置。
【請求項４】
前記密封空間内の露点は−３０℃以下であることを特徴とする請求項１〜３のいずれか１項に記載の照明装置。
【請求項５】
前記励起光であるレーザ光を出射する励起光源は、前記密封空間の外部に配置されており、
前記本体部には、前記励起光源からのレーザ光を前記密封空間内に導入するための導入部が設けられていることを特徴とする請求項１〜４のいずれか１項に記載の照明装置。
【請求項６】
前記励起光源からのレーザ光を前記密封空間に導く導光部材をさらに備えることを特徴とする請求項５に記載の照明装置。
【請求項７】
前記導光部材は前記導入部に隙間なく挿入されていることを特徴とする請求項６に記載の照明装置。
【請求項８】
前記導入部には前記レーザ光を透過する第２透光部材が隙間なく設けられていることを特徴とする請求項５または６に記載の照明装置。
【請求項９】
前記励起光源から前記導入部までの前記レーザ光の光路が密封されていることを特徴とする請求項５〜８のいずれか１項に記載の照明装置。
【請求項１０】
前記励起光であるレーザ光を出射する励起光源は、前記密封空間内に配置されていることを特徴とする請求項１〜４のいずれか１項に記載の照明装置。
【発明の詳細な説明】
【技術分野】
【０００１】
この発明は、照明装置に関し、特に、励起光であるレーザ光が照射される蛍光部材を備えた照明装置に関する。
【背景技術】
【０００２】
従来、励起光であるレーザ光が照射される蛍光部材を備えた照明装置が知られている。このような照明装置の一例として、励起光であるレーザ光を出射する半導体レーザ（励起光源）と、レーザ光が照射され蛍光を出射する蛍光部材と、蛍光を外部に向かって反射する反射鏡（反射部材）と、蛍光を透過して外部に出射する透光部材とを備えた車両用前照灯（照明装置）が知られている。半導体レーザから出射したレーザ光は、蛍光部材により蛍光に変換されて透光部材を透過し、照明光として利用される。
【０００３】
なお、レーザ光を出射する励起光源とレーザ光が照射される蛍光部材とを備えた照明装置は、例えば特許文献１および特許文献２に開示されている。
【先行技術文献】
【特許文献】
【０００４】
【特許文献１】特開２００４−２４１１４２号公報
【特許文献２】特開２００５−１５００４１号公報
【発明の概要】
【発明が解決しようとする課題】
【０００５】
しかしながら、本発明者が上記従来の照明装置について種々検討した結果、従来の照明装置では照明装置の内部に結露が生じる場合があり、結露によりレーザ光が規定ビーム光路から逸脱する場合があるという問題点が存在することを見出した。なお、規定ビーム光路（ｄｅｆｉｎｅｄ  ｂｅａｍ  ｐａｔｈ）とは、ＪＩＳ  Ｃ６８０２の定義によれば、レーザ製品内での意図されたレーザビーム光路のことを言う。
【０００６】
この問題点について具体的に説明する。空気は温度が高いほど多くの水蒸気を含むことができる。空気の温度が低下すると、空気中に含まれることができなくなった水蒸気は温度の低い物体の表面に水滴となって付着する。この現象を結露という。
【０００７】
例えば、上記従来の照明装置において、蛍光部材にレーザ光を照射すると、蛍光部材およびその周辺の温度が上昇し、反射鏡や透光部材で囲まれた空間の温度が上昇する。この空間の空気は、温度上昇前に比べてより多くの水蒸気を含むことができるようになる。
【０００８】
反射鏡や透光部材で囲まれた空間が密封されていない場合、雨天時などの高湿度環境で照明装置を使用すると、前記空間の空気は、温度が上昇し、多くの水蒸気を含んだ状態になる。その後、照明装置を停止すると、蛍光部材およびその周辺の温度が低下し、前記空間の温度が低下する。これにより、前記空間内に結露が生じる。この場合、次回の照明装置の使用時には、前記空間内に結露が生じた状態でレーザ光を蛍光部材に照射することになる。規定ビーム光路（例えば蛍光部材の表面）に結露が生じていると、レーザ光が水滴により反射されたり屈折されたりして規定ビーム光路から逸脱する可能性がある。
【０００９】
一方、反射鏡や透光部材で囲まれた空間が密封されている場合であっても、密封作業時の環境と使用時の環境との関係では、密封空間内に結露が生じる。例えば、２５℃で通常湿度環境下で組み立てられた照明装置が、０度を大きく下回る環境に置かれると、密封空間内に結露が生じる。このため、レーザ光が規定ビーム光路から逸脱する可能性がある。
【００１０】
そして、上記のようにレーザ光が規定ビーム光路から逸脱した場合、所望の照明光が得られなかったり、レーザ光が外部に出射して人間の眼に悪影響を及ぼす場合があるという問題点がある。
【００１１】
なお、蛍光部材にレーザ光を照射し所望の照明光を得る照明装置において、結露によりレーザ光が規定ビーム光路から逸脱するという問題点を課題に挙げた従来文献は見当たらなかった。
【００１２】
この発明は、上記のような課題を解決するためになされたものであり、この発明の目的は、レーザ光が規定ビーム光路から逸脱するのを抑制することが可能な照明装置を提供することである。
【課題を解決するための手段】
【００１３】
上記目的を達成するために、この発明の照明装置は、励起光であるレーザ光が照射され蛍光を出射する蛍光部材と、蛍光部材が配置される密封空間を形成する本体部と、を備え、密封空間内は、乾燥気体が封入され、または、真空になっている。
【００１４】
なお、本明細書および特許請求の範囲において、密封とは、気体の出入りができないように封をすることを言い、密封空間とは、気体の出入りができないように封をされた空間のことを言う。
【００１５】
この発明の照明装置では、上記のように、蛍光部材が配置される密封空間を形成する本体部を備え、密封空間内は、乾燥気体が封入され、または、真空になっている。これにより、密封空間内において結露が生じるのを防止することができるので、例えば蛍光部材の表面に水滴が付着するのを防止することができる。このため、レーザ光が水滴により反射や屈折されて規定ビーム光路から逸脱するのを、抑制することができる。その結果、所望の照明光が得られなくなったり、レーザ光が外部に出射して人間の眼に悪影響を及ぼすのを抑制することができる。
【００１６】
また、上記のように、密封空間内に蛍光部材を配置することによって、蛍光部材が水分等で劣化するのを抑制することができる。
【００１７】
上記照明装置において、好ましくは、密封空間内には乾燥気体が封入されており、乾燥気体は乾燥空気または不活性ガスを含む。このように、乾燥気体が乾燥空気または不活性ガスを含むように構成することによって、密封空間内で結露が生じないように容易にすることができる。また、密封空間内に乾燥気体を封入することによって、密封空間内は真空にならないので、本体部が外気圧で押し潰されるのを抑制することができる。
【００１８】
上記照明装置において、好ましくは、本体部は、蛍光を反射する反射部材と、蛍光を透過して密封空間の外部に出射する第１透光部材とを含む。このように構成すれば、蛍光部材から出射した蛍光を反射部材により所定方向に反射することができ、所定領域を容易に照明することができる。
【００１９】
上記照明装置において、好ましくは、密封空間内の露点は−３０℃以下である。例えば、上記照明装置を使用する地域のうち、北緯５０度〜南緯５０度までの地域において、年間最低気温が−３０℃を下回ることは非常に稀である。このため、密封空間内の露点を−３０℃以下にすれば、密封空間内で結露が生じるのを十分に防止することができる。
【００２０】
上記照明装置において、好ましくは、励起光であるレーザ光を出射する励起光源は、密封空間の外部に配置されており、本体部には、励起光源からのレーザ光を密封空間内に導入するための導入部が設けられている。このように構成すれば、励起光源が密封空間の外部に配置されている場合に、励起光源から出射したレーザ光を密封空間内に容易に導入することができる。
【００２１】
上記本体部に導入部が設けられている照明装置において、好ましくは、励起光源からのレーザ光を密封空間に導く導光部材をさらに備える。このように構成すれば、励起光源から出射したレーザ光を密封空間に容易に導くことができる。
【００２２】
上記導光部材を備える照明装置において、好ましくは、導光部材は導入部に隙間なく挿入されている。このように構成すれば、密封空間の密封性を保持しながら、導光部材を密封空間内に挿入することができ、励起光源から出射したレーザ光を密封空間内に容易に導入することができる。
【００２３】
上記本体部に導入部が設けられている照明装置において、好ましくは、導入部にはレーザ光を透過する第２透光部材が隙間なく設けられている。このように構成すれば、密封空間の密封性を保持しながら、励起光源から出射したレーザ光を密封空間内に容易に導入することができる。
【００２４】
上記本体部に導入部が設けられている照明装置において、好ましくは、励起光源から導入部までのレーザ光の光路が密封されている。
【００２５】
上記照明装置において、好ましくは、励起光であるレーザ光を出射する励起光源は、密封空間内に配置されている。このように構成すれば、規定ビーム光路の全てにおいて結露が生じるのを防止することができるので、レーザ光が規定ビーム光路から逸脱するのを防止することができる。
【発明の効果】
【００２６】
以上のように、本発明によれば、レーザ光が規定ビーム光路から逸脱するのを抑制することが可能な照明装置を容易に得ることができる。
【図面の簡単な説明】
【００２７】
【図１】本発明の第１実施形態の照明装置の構造を示した断面図である。
【図２】本発明の第２実施形態の照明装置の構造を示した断面図である。
【図３】本発明の第３実施形態の照明装置の構造を示した断面図である。
【図４】本発明の第１変形例の照明装置の構造を示した断面図である。
【図５】本発明の第２変形例の照明装置の構造を示した断面図である。
【発明を実施するための形態】
【００２８】
以下、本発明の実施形態について図面を参照して説明する。なお、理解を容易にするために、断面図であってもハッチングを施さない場合がある。
【００２９】
（第１実施形態）
図１を参照して、本発明の第１実施形態の照明装置１の構造について説明する。
【００３０】
本発明の第１実施形態の照明装置１は、例えば自動車などの前方を照明する前照灯として用いられるものである。照明装置１は図１に示すように、励起光であるレーザ光を出射する励起光源２と、励起光源２が固定される放熱部材３と、励起光源２の前方に配置された導光部材４と、レーザ光（励起光）が照射される蛍光部材５と、蛍光部材５を支持する支持部材６と、蛍光部材５から出射した蛍光を照明装置１の外部に向かって反射する反射部材７と、反射部材７の前端に固定されるベゼル８と、蛍光を透過して照明装置１の外部に出射する透光部材９（第１透光部材）とを備える。本実施形態では、反射部材７、ベゼル８および透光部材９などにより、本体部２０が形成されている。本体部２０内には密封空間Ｓ１が形成されている。
【００３１】
励起光源２は半導体レーザであり、半導体レーザ素子（図示せず）と半導体レーザ素子が搭載されるパッケージとによって構成されている。励起光源２は例えば約３８０ｎｍ〜約４６０ｎｍの中心波長を有するレーザ光を出射するように構成されている。励起光源２は密封空間Ｓ１の外部に配置されている。
【００３２】
放熱部材３は例えば金属ブロックにより形成されており、励起光源２で発生した熱を放熱する機能を有する。放熱部材３は必要に応じて設けられるものであり、既存の部材で代用してもよい。
【００３３】
導光部材４は励起光源２から出射したレーザ光を密封空間Ｓ１まで導く機能を有する。本実施形態では、導光部材４は例えば光ファイバにより形成されている。
【００３４】
導光部材４のレーザ光入射端面４ａ側の部分は、励起光源２に固定されている。導光部材４のレーザ光入射端面４ａと励起光源２のレーザ光出射面とを密封するように、シール部材１０が設けられている。導光部材４と励起光源２との接続部は、レーザ光の光路上に結露が生じないように形成されている。例えば、導光部材４のレーザ光入射端面４ａと励起光源２のレーザ光出射面との間に透明なシール部材１０が充填されていてもよい。また、導光部材４をピグテールファイバにして、導光部材４と励起光源２とをピグテール接続してもよい。この場合にも、導光部材４のレーザ光入射端面４ａと励起光源２のレーザ光出射面とを密封して、導光部材４と励起光源２との接続部におけるレーザ光の光路上に結露が生じないようにすることが可能である。例えば、導光部材４のレーザ光入射端面４ａと励起光源２のレーザ光出射面との間に樹脂等が充填されていてもよいし、導光部材４のレーザ光入射端面４ａと励起光源２のレーザ光出射面とを含む密封空間に乾燥気体が封入されていてもよい。
【００３５】
このように、導光部材４と励起光源２との接続部におけるレーザ光の光路上に結露が生じないように形成することによって、励起光源２から導光部材４のレーザ光出射面４ａまでのレーザ光の光路（規定ビーム光路）上に結露が生じるのを防止することが可能である。
【００３６】
導光部材４のレーザ光出射端面４ｂ側の部分は、反射部材７の後述する導入部７ｂに隙間なく挿入されている。例えば、導光部材４の外面と反射部材７の導入部７ｂの内面との間には、シール部材１１が設けられている。導光部材４のレーザ光出射端面４ｂは密封空間Ｓ１内に配置されている。
【００３７】
また、レーザ光出射端面４ｂは蛍光部材５のレーザ光が照射される照射面５ａから所定の距離を隔てて配置されている。これにより、蛍光部材５の照射面５ａから出射した光が導光部材４のレーザ光出射端面４ｂに再度入射するのを抑制することが可能であるので、光の利用効率が低下するのを抑制することが可能である。
【００３８】
蛍光部材５は、密封空間Ｓ１内に配置されており、レーザ光（励起光）が照射されることにより蛍光を出射する機能を有する。また、蛍光部材５は励起光の波長よりも長波長の中心波長を有する蛍光を出射する。蛍光部材５は、例えば青紫色のレーザ光を赤色光、緑色光および青色光にそれぞれ変換する３種類の蛍光体（図示せず）を含んでいる。そして、蛍光部材５から出射する赤色光、緑色光および青色光の蛍光が混色されることによって、白色の照明光が得られる。なお、蛍光部材５は、例えば青色のレーザ光の一部を黄色光に変換する１種類の蛍光体を含んでいてもよい。そして、黄色光と、蛍光部材５により散乱された青色光とが混色されることによって、白色の照明光が得られてもよい。蛍光部材５は、蛍光体をガラスや樹脂などに混ぜて固めたものや、蛍光体粒子を加圧または焼結したものなどを用いることが可能である。
【００３９】
支持部材６は、蛍光部材５の側面５ｂを保持する保持部６ａと、ベゼル８に取り付けられる棒状の複数の取付部６ｂとを含んでいる。保持部６ａは、蛍光部材５の側面を直接保持してもよいし、接着層などを介して保持してもよい。取付部６ｂは反射部材７に取り付けられていてもよい。
【００４０】
また、支持部材６は金属やグラファイトなどの熱伝導率の高い材料により形成されている。支持部材６は、蛍光部材５で発生した熱をベゼル８、反射部材７や図示しない金属ブロック等に放熱するように構成されている。
【００４１】
反射部材７は蛍光部材５から出射した光（蛍光や散乱光）を外部に向かって反射する機能を有する。反射部材７の反射面７ａは凹状に形成されており、例えば放物面の一部を含むように形成されている。また、反射面７ａの焦点を含む領域に、蛍光部材５の照射面５ａが配置されている。また、反射部材７の所定の位置（例えば頂点）には、励起光源２から出射したレーザ光（励起光）を導入するための導入部７ｂが形成されている。反射部材７は金属や樹脂により形成されている。反射部材７を樹脂により形成する場合、反射面７ａは金属膜などにより形成されていてもよい。
【００４２】
ベゼル８は例えば円筒状に形成されており、ボルト１２やネジ（図示せず）などを用いて、反射部材７の前端に隙間なく固定されている。ベゼル８は金属や樹脂により形成されている。ベゼル８の内面８ａは、光を反射する機能を有する反射面で形成されていることが好ましい。
【００４３】
透光部材９は、レンズ（例えば平凸レンズ）からなり、ガラスや樹脂などにより形成されている。透光部材９はベゼル８の内面８ａに隙間なく固定されている。透光部材９の外面とベゼル８の内面８ａとの間には、図示しないシール部材が設けられていてもよい。
【００４４】
密封空間Ｓ１内には、結露しないように乾燥気体が封入されている。これにより、励起光源２から蛍光部材５までのレーザ光の光路（規定ビーム光路）の全てが密封されているとともに、レーザ光の光路（規定ビーム光路）上の全てにおいて結露が生じるのを防止することが可能である。乾燥気体としては、水蒸気の非常に少ない乾燥空気や、窒素またはアルゴンなどの不活性ガスを用いてもよい。密封空間Ｓ１内の露点は、例えば−３０℃以下となっており、照明装置１の使用環境温度（または動作保証温度）内において密封空間Ｓ１の内部は結露しない。また、密封空間Ｓ１内の乾燥気体は、外気圧と同等以上の気圧（１気圧以上）になっている。
【００４５】
本実施形態では、上記のように、蛍光部材５が配置される密封空間Ｓ１を形成する本体部２０を備え、密封空間Ｓ１内には、乾燥気体が封入されている。これにより、密封空間Ｓ１内において結露が生じるのを防止することができるので、蛍光部材５の照射面５ａや導光部材４のレーザ光出射端面４ｂに水滴が付着するのを防止することができる。このため、レーザ光が水滴により反射や屈折されて規定ビーム光路から逸脱するのを、抑制することができる。その結果、所望の照明光が得られなくなったり、レーザ光が外部に出射して人間の眼に悪影響を及ぼすのを抑制することができる。
【００４６】
また、上記のように、密封空間Ｓ１内に蛍光部材５を配置することによって、蛍光部材５が水分等で劣化するのを抑制することができる。例えば硫化物で構成され蛍光体は水分により劣化するので、蛍光体が硫化物により構成されている場合に、特に有効である。
【００４７】
また、上記のように、乾燥気体が乾燥空気または不活性ガスを含むことによって、密封空間Ｓ１内で結露が生じないように容易にすることができる。また、密封空間Ｓ１内に乾燥気体を封入することによって、密封空間Ｓ１内は真空にならないので、本体部２０が外気圧で押し潰されるのを抑制することができる。また、密封空間Ｓ１内の乾燥気体は外気圧と同等以上の気圧（１気圧以上）になっている。これにより、万が一、密封空間Ｓ１の密封性を保持できなくなった場合（例えば、本体部２０に小さな穴が開いた場合）に、水蒸気を含んだ外気が密封空間Ｓ１内に流入するのを抑制することができる。
【００４８】
また、上記のように、密封空間Ｓ１内の露点は−３０℃以下である。例えば日本国内において年間最低気温が−３０℃を下回ることは非常に稀である。このため、密封空間Ｓ１内の露点を−３０℃以下にすれば、密封空間Ｓ１内で結露が生じるのを十分に防止することができる。
【００４９】
また、上記のように、本体部２０（反射部材７）に導入部７ｂを設けることによって、励起光源２から出射したレーザ光を密封空間Ｓ１内に容易に導入することができる。
【００５０】
また、上記のように、導光部材４を設けることによって、励起光源２から出射したレーザ光を密封空間Ｓ１に容易に導くことができる。
【００５１】
また、上記のように、導光部材４は導入部７ｂに隙間なく挿入されている。これにより、密封空間Ｓ１の密封性を保持しながら、導光部材４を密封空間Ｓ１内に挿入することができ、励起光源２から出射したレーザ光を密封空間Ｓ１内に容易に導入することができる。
【００５２】
また、上記のように、励起光源２から導光部材４のレーザ光出射面４ａまでの規定ビーム光路が密封されている。これにより、励起光源２から導光部材４のレーザ光出射面４ａまでの規定ビーム光路に結露が生じるのを防止することができる。これにより、規定ビーム光路の全て（励起光源２から蛍光部材５までのレーザ光の光路）において結露が生じるのを防止することができるので、レーザ光が規定ビーム光路から逸脱するのを防止することができる。
【００５３】
また、熱伝導率の高い部材は熱伝導率の低い部材よりも先に温度が低下するので、熱伝導率の高い部材の表面に結露が生じやすい。通常、蛍光部材周辺には放熱性を良くするために金属製の部材が用いられるため、反射部材が樹脂製の場合、金属製の部材周辺に結露が生じやすくなる。仮に、本実施形態の構成で空間が密封されていない場合を考えると、例えば支持部材６の表面に結露が生じやすい。このため、水滴が金属製の部材（支持部材６）から蛍光部材５に流れ、レーザ光が水滴により反射されて規定ビーム光路から逸脱する可能性がある。また、反射部材７が金属製の場合、反射部材７の内面（反射面７ａ）に結露が生じやすくなる。この場合、反射部材７の内面（反射面７ａ）に付着した水滴が、蛍光部材５に落ちて、レーザ光が規定ビーム光路から逸脱する可能性がある。本実施形態では、上記のように、密封空間Ｓ１内において結露が生じるのを防止することができるので、熱伝導率の高い部材を例えば蛍光部材５周辺などに用いた場合であっても、レーザ光が規定ビーム光路から逸脱するのを抑制することができる。
【００５４】
（第２実施形態）
この第２実施形態では図２に示すように、導光部材１０４がレンズにより形成されている場合について説明する。
【００５５】
本発明の第２実施形態の照明装置１０１は、励起光源２と、放熱部材３と、励起光源２の前方に配置された導光部材１０４と、蛍光部材５と、蛍光部材５を支持する支持部材１０６と、蛍光部材５から出射した蛍光を外部に向かって反射する反射部材１０７と、蛍光を透過して外部に出射する透光部材１０９（第１透光部材）とを備える。本実施形態では、反射部材１０７、後述する透光部材１１３、支持部材１０６および透光部材１０９により、本体部１２０が形成されている。本体部１２０内には密封空間Ｓ１０１が形成されている。
【００５６】
導光部材１０４は、レンズ（例えば両凸レンズ）により形成されている。導光部材１０４は本体部１２０の外部（密封空間Ｓ１０１の外部）に配置されている。
【００５７】
支持部材１０６は金属や樹脂により形成すること可能であるが、少なくとも蛍光部材５の周辺部分（保持部１０６ａ）は金属などの熱伝導率の高い材料により形成されている。保持部１０６ａは、蛍光部材５で発生した熱を支持部材１０６全体や図示しない金属製の部材等に放熱するように構成されている。また、支持部材１０６の内面（密封空間Ｓ１０１を形成する面）１０６ｂは、光を反射する機能を有する反射面で形成されていることが好ましい。
【００５８】
反射部材１０７は蛍光部材５から出射した蛍光を外部に向かって反射する機能を有する。反射部材１０７の反射面１０７ａは例えば放物面の一部を含むように形成されており、放物面をその頂点と焦点とを結ぶ軸（放物面の回転軸）に平行な面で分割したような形状に形成されている。また、反射部材１０７の所定の位置には、励起光源２から出射したレーザ光（励起光）を導入するための導入部１０７ｂが形成されている。
【００５９】
この導入部１０７ｂには、少なくともレーザ光（励起光）を透過する透光部材１１３（第２透光部材）が隙間なく設けられている。この透光部材１１３は例えば石英、その他の無機ガラスや、樹脂により形成されている。また、透光部材１１３は蛍光部材５から出射した蛍光を反射するように構成されていてもよい。このように構成すれば、蛍光が励起光源２側に戻るのを防止することが可能となるので、光の利用効率を向上させることが可能である。
【００６０】
透光部材１０９は例えば平板状のガラスや樹脂などにより形成されている。透光部材１０９はレンズにより形成されていてもよい。透光部材１０９は反射部材１０７および支持部材１０６に隙間なく固定されている。
【００６１】
密封空間Ｓ１０１内には、結露しないように乾燥気体が封入されている。なお、密封空間Ｓ１０１を形成する各部材同士の界面部分（例えば透光部材１１３の側面と導入部１０７ｂの内面との間）には、必要に応じて例えばシール部材が設けられている。
【００６２】
第２実施形態のその他の構造は、上記第１実施形態と同様である。
【００６３】
本実施形態では、上記のように、導入部１０７ｂにはレーザ光を透過する透光部材１１３が隙間なく設けられている。これにより、密封空間Ｓ１０１の密封性を保持しながら、励起光源２から出射したレーザ光を密封空間Ｓ１０１内に容易に導入することができる。
【００６４】
また、上記のように、透光部材１１３は石英やその他の無機ガラスで形成されていてもよい。石英やその他の無機ガラスは樹脂に比べて熱伝導率が高い。このため、仮に、本実施形態の構成で空間が密封されていない場合を考えると、透光部材１１３の内面に結露が生じやすい。このため、レーザ光が水滴により反射や屈折されて規定ビーム光路から逸脱する可能性がある。本実施形態では、上記のように、密封空間Ｓ１０１内において結露が生じるのを防止することができるので、熱伝導率の高い部材を例えば透光部材１１３として用いた場合であっても、レーザ光が規定ビーム光路から逸脱するのを抑制することができる。
【００６５】
第２実施形態のその他の効果は、上記第１実施形態と同様である。
【００６６】
（第３実施形態）
この第３実施形態の照明装置２０１では、上記第２実施形態と異なり、励起光源２および導光部材１０４を覆うように、カバー部材２１４が設けられている。カバー部材２１４は反射部材１０７に取り付けられている。カバー部材２１４は、励起光を遮光する機能を有しており、例えば樹脂や金属により形成されている。
【００６７】
第３実施形態のその他の構造は、上記第２実施形態と同様である。
【００６８】
本実施形態では、上記のように、励起光源２を覆うカバー部材２１４を設けることによって、密封空間Ｓ１０１の外部（例えば透光部材１１３のレーザ光入射面）で結露が生じ、レーザ光が規定ビーム光路から逸脱した場合であっても、レーザ光が照明装置２０１の外部に出射するのを容易に防止することができる。
【００６９】
第３実施形態のその他の効果は、上記第２実施形態と同様である。
【００７０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７１】
例えば、上記実施形態では、本発明の照明装置を自動車の前照灯に用いた例について示したが、本発明はこれに限らない。本発明の照明装置を、飛行機、船舶、ロボット、バイクまたは自転車や、その他の移動体の前照灯に用いてもよい。
【００７２】
また、上記実施形態では、本発明の照明装置を前照灯に適用した例について示したが、本発明はこれに限らない。本発明の照明装置をダウンライトまたはスポットライトや、その他の照明装置に適用してもよい。また、本発明の照明装置を、反射部材が設けられていない例えば電球型の照明装置に適用してもよい。
【００７３】
また、上記実施形態では、励起光を可視光に変換した例について示したが、本発明はこれに限らず、励起光を可視光以外の光に変換してもよい。例えば、励起光を赤外光に変換する場合には、セキュリティ用ＣＣＤカメラの夜間照明装置などにも適用可能である。
【００７４】
また、上記実施形態では、白色光を出射するように、励起光源および蛍光部材を構成した例について示したが、本発明はこれに限らない。白色光以外の光を出射するように、励起光源および蛍光部材を構成してもよい。
【００７５】
また、上記実施形態では、レーザ光を出射する励起光源として、半導体レーザを用いた例について示したが、本発明はこれに限らず、半導体レーザ以外の励起光源を用いてもよい。
【００７６】
また、上記実施形態では、反射部材の反射面を放物面の一部により形成した例について示したが、本発明はこれに限らず、反射面を例えば楕円面の一部により形成してもよい。この場合、蛍光部材の照射領域を反射面の焦点に位置させることにより、照明装置から出射する光を容易に集光することができる。また、反射面を多数の曲面（例えば放物面）からなるマルチリフレクタや、多数の微細な平面が連続して設けられた自由曲面リフレクタなどにより形成してもよい。
【００７７】
また、上記実施形態では、密封空間内の露点を−３０℃以下にした場合について説明したが、本発明はこれに限らない。照明装置の使用環境温度（または動作保証温度）内で結露が生じなければ、密封空間内の露点は例えば−１０℃以下、−２０℃以下または−４０℃以下でもよい。
【００７８】
また、例えば上記第３実施形態では、カバー部材２１４により励起光源２および導光部材１０４を単に覆った例について示したが、本発明はこれに限らない。例えば、カバー部材２１４をシール部材を用いて反射部材１０７に固定し、カバー部材２１４内を例えば乾燥空気が封入された密封空間にしてもよい。このように構成すれば、励起光源２を密封空間内に配置することができ、励起光源２から導入部１０７ｂまでのレーザ光の光路を密封することができる。これにより、上記第１実施形態と同様、励起光源２から蛍光部材５までのレーザ光の光路（規定ビーム光路）の全てを密封することができるとともに、規定ビーム光路の全てにおいて結露が生じるのを防止することができるので、レーザ光が規定ビーム光路から逸脱するのを防止することができる。なお、カバー部材２１４内を密封空間にする場合、例えば図４に示した本発明の第１変形例の照明装置３０１のように、透光部材１１３を設けなくてもよい。この場合、反射部材１０７、カバー部材２１４、支持部材１０６および透光部材１０９などにより、密封空間Ｓ３０１を形成する本体部３２０が構成され、密封空間Ｓ３０１内に励起光源２および蛍光部材５が配置される。
【００７９】
また、上記実施形態では、導光部材として光ファイバやレンズを用いた例について示したが、本発明はこれに限らない。導光部材として反射鏡などを用いてもよく、光ファイバ、レンズおよび反射鏡などを複数組み合わせて用いてもよい。なお、導光部材は必要に応じて設けられるものであり、例えば図５に示した本発明の第２変形例の照明装置４０１のように、励起光源２を蛍光部材５の近傍に配置する場合は無くてもよい。この照明装置４０１では、反射部材１０７、支持部材１０６および透光部材１０９などにより、密封空間Ｓ４０１を形成する本体部４２０が構成され、密封空間Ｓ４０１内に励起光源２および蛍光部材５が配置される。励起光源２は密封空間Ｓ４０１内に配置されるので、上記照明装置３０１と同様、規定ビーム光路の全てにおいて結露が生じるのを防止することができる。これにより、レーザ光が規定ビーム光路から逸脱するのを防止することができる。
【００８０】
また、上記実施形態では、密封空間内に乾燥気体を封入した例について示したが、本発明はこれに限らず、密封空間内を真空にしてもよい。この場合にも、密封空間内で結露が生じるのを容易に防止することができる。
【００８１】
また、上述した実施形態および変形例の構成を適宜組み合わせて得られる構成についても、本発明の技術的範囲に含まれる。
【符号の説明】
【００８２】
１、１０１、２０１、３０１、４０１  照明装置
２  励起光源
４、１０４  導光部材
５  蛍光部材
７、１０７  反射部材
７ｂ、１０７ｂ  導入部
９、１０９  透光部材（第１透光部材）
２０、１２０、３２０、４２０  本体部
１１３  透光部材（第２透光部材）
Ｓ１、Ｓ１０１、Ｓ３０１、Ｓ４０１  密封空間
【図１】
2013157239.tif 000003
【図２】
2013157239.tif 000004
【図３】
2013157239.tif 000005
【図４】
2013157239.tif 000006
【図５】
2013157239.tif 000007